(57)【要約】【課題】より簡単な構成で洗浄水の逆流を防止できる食器洗い機を提供する。【解決手段】水流方向に沿って移動する球状の弁体２２と、該弁体２２より細い内径を有する弁座２８と、弁体２２の移動を規制する規制板２３と、洗浄水が通る通水溝部２４とを備える逆止弁２１を、ポンプ又は水分配装置と、洗浄ノズルとの間に設ける。ポンプの運転の際には、弁体２２が弁座２８の開放を、ポンプの停止の際には、弁体２２が弁座２８の閉鎖を自ら行い、洗浄水のポンプ又は水分配装置への逆流を防ぐ。【選択図】図３
2007282659.tif 000002
【特許請求の範囲】
【請求項１】
洗浄槽内に供給される洗浄水を貯留する貯留部と、
洗浄水を食器類に対して噴射する洗浄ノズルと、
該洗浄ノズルに、前記貯留部の洗浄水を送水するポンプと
を備える食器洗い機において、
前記ポンプから洗浄ノズルまでの送水管の途中に、
洗浄水の逆流を防止する逆止弁を設けてあることを特徴とする食器洗い機。
【請求項２】
洗浄槽内に供給される洗浄水を貯留する貯留部と、
洗浄水を食器類に対して噴射する複数の洗浄ノズルと、
該洗浄ノズルに、前記貯留部の洗浄水を送水するポンプと、
該複数の洗浄ノズルに選択的に洗浄水を分配する水分配装置と
を備える食器洗い機において、
前記水分配装置から洗浄ノズルまでの送水管の途中に、洗浄水の逆流を防止する逆止弁を設けてあることを特徴とする食器洗い機。
【請求項３】
前記逆止弁は、
該逆止弁内を水流方向に沿って移動する球状の弁体と、
前記弁体よりポンプ側の位置に、弁体より細い内径を有する弁座と
を設けてあることを特徴とする請求項１又は請求項２に記載の食器洗い機。
【請求項４】
前記逆止弁は、
前記弁体の移動距離を規制する規制板と、
前記洗浄ノズルに向けて送水される洗浄水が通る通水溝部と
を設けてあることを特徴とする請求項１乃至３のいずれか一つに記載の食器洗い機。
【請求項５】
前記逆止弁は、
前記水分配装置に向けて逆流する洗浄水を洗浄槽内に排水する排水穴を設けてあることを特徴とする請求項２乃至４のいずれか一つに記載の食器洗い機。
【発明の詳細な説明】
【技術分野】
【０００１】
本発明は、水を噴射して食器類を洗浄する食器洗い機に関する。
【背景技術】
【０００２】
食器洗い機においては、従来から、より高性能の食器洗い機を求めて、様々な技術が提案されてきた。複数の洗浄ノズルを設けるものもその一つである。例えば、洗浄槽内に複数の食器篭を上下に備える場合、該食器篭の位置に合わせて複数の洗浄ノズルを配設したものである。洗浄しようとする食器量が少ないので、複数の食器篭のうち、一つのみを使用する場合、最寄りノズルのみを駆動させ、洗浄水及び電力の節約を図ることができる。また、夫々の食器篭に近い位置から噴射を行うので、洗浄能力を高めることが出来る(例えば、特許文献１参照)。
【０００３】
一方、ハウジングの中に複数の弁体と、複数のノズルに連結される各送水口に該弁体を案内する規制板とを備えており、弁体が前記送水口を開／閉することにより、洗浄水を選択的に分配する水分配装置を備える食器洗い機も提案されており、洗浄水の節約および高い洗浄効果が期待できる(例えば、特許文献２参照)。
【特許文献１】特開平８−５６８８５号公報
【特許文献２】特開２００６−０６１１８５号公報
【発明の開示】
【発明が解決しようとする課題】
【０００４】
しかしながら、複数の洗浄ノズルを設ける場合、上述の如く省エネルギー及び高い洗浄能力を得ることができるものの、ポンプから洗浄槽内の上側に配設される洗浄ノズルまでの送水管が長くなる。つまり、洗浄、すすぎ及び乾燥の工程の間に、ポンプの運転が一時停止した場合、前記送水管内の洗浄水が、自重によってポンプに向けて逆流するので、再度ポンプの運転を開始する場合、洗浄水が長い送水管を経て洗浄ノズルに届くまでの時間を必要とすると言う問題があった。該問題は、複数のノズルを備える食器洗い機に限るものではなく、単数のノズルを備える食器洗い機においても同様であることは言うまでもない。
【０００５】
また、水分配装置を備える食器洗いにおいては、ポンプの運転が一時停止した場合、ノズルから水分配装置に向けて逆流する洗浄水の水圧が、水分配装置の弁体に圧力を加える。つまり、逆流の圧力は、前記弁体を送水口の方向に強く押し付けるので、弁体が、送水口と前記規制板との間に挟まり、動かなくなるという動作異常を起こす恐れがあった。
【０００６】
本発明は、斯かる事情に鑑みてなされたものであり、本発明の目的は、ポンプと洗浄ノズルとの間に洗浄水の逆流を防止する逆止弁を設けることにより、洗浄水がポンプに向けて逆流することを防止することが出来る食器洗い機を提供することにある。
【０００７】
また、本発明の他の目的は、複数の洗浄ノズルに選択的に洗浄水を分配する水分配装置を備える食器洗い機において、該水分配装置と洗浄ノズルとの間に、洗浄水の逆流を防止する逆止弁を設けることにより、逆流する洗浄水の圧力が水分配装置の動作異常を引き起こすことを防止できる食器洗い機を提供することにある。
【０００８】
また、本発明の他の目的は、逆止弁内に、水流方向に沿って移動する弁体を設け、ポンプ側には、該弁体より細い内径を有する弁座とを設けることにより、洗浄水が洗浄ノズルに向けて正流する場合、又はポンプに向けて逆流する場合、前記弁体が前記弁座の開／閉を自ら行う、構造が簡単な食器洗い機を提供することにある。
【０００９】
また、本発明の他の目的は、前記弁体の移動距離を規制する規制板を設け、前記弁体の移動距離を短くすることにより、前記弁座の開／閉を素早く行うことが出来る食器洗い機を提供することにある。
【００１０】
また、本発明の他の目的は、逆止弁の一部に、前記水分配装置に向けて逆流する水を洗浄槽内に排水する排水穴を設け、逆流する洗浄水を洗浄槽内に迂回させる構成とすることにより、逆流する洗浄水の圧力が水分配装置の動作異常を引き起こすことを防止できる食器洗い機を提供することにある。
【課題を解決するための手段】
【００１１】
本発明に係る食器洗い機は、洗浄槽内に供給される洗浄水を貯留する貯留部と、洗浄水を食器類に対して噴射する洗浄ノズルと、該洗浄ノズルに、前記貯留部の洗浄水を送水するポンプとを備える食器洗い機において、前記ポンプから洗浄ノズルまでの送水管の途中に、洗浄水の逆流を防止する逆止弁を設けてあることを特徴とする。
【００１２】
本発明にあっては、各工程の間、あるいは停電により、前記ポンプの運転が一時停止した場合、洗浄水が前記ポンプに向けて逆流することを防ぐ。
【００１３】
本発明に係る食器洗い機は、洗浄槽内に供給される洗浄水を貯留する貯留部と、洗浄水を食器類に対して噴射する複数の洗浄ノズルと、該洗浄ノズルに、前記貯留部の洗浄水を送水するポンプと、該複数の洗浄ノズルに選択的に洗浄水を分配する水分配装置とを備える食器洗い機において、前記水分配装置から洗浄ノズルまでの送水管の途中に、洗浄水の逆流を防止する逆止弁を設けてあることを特徴とする。
【００１４】
本発明にあっては、前記水分配装置を備える食器洗い機において、各工程の間、あるいは停電により、前記ポンプの運転が一時停止した場合、洗浄水が前記水分配装置に向けて逆流することを防ぐ。
【００１５】
本発明に係る食器洗い機は、前記逆止弁は、該逆止弁内を水流方向に沿って移動する球状の弁体と、前記弁体よりポンプ側の位置に、弁体より細い内径を有する弁座とを設けてあることを特徴とする。
【００１６】
本発明にあっては、前記ポンプが運転され、洗浄水が洗浄ノズルに向けて正流する場合、前記弁体が正流水圧により、前記弁座から離れて水路を確保する。又、ポンプの運転が停止する場合、自重によってポンプに向かう逆流水圧により、前記弁体が前記弁座を塞いで逆流を防止する。
【００１７】
本発明に係る食器洗い機は、前記逆止弁は、前記弁体の移動距離を規制する規制板と、前記洗浄ノズルに向けて送水される洗浄水が通る通水溝部とを設けてあることを特徴とする。
【００１８】
本発明にあっては、前記ポンプの運転によって洗浄水が正流する場合、前記弁体は正流水圧により、前記弁座から離れて移動するが、所定距離以上の移動は前記規制板により規制される。この場合、洗浄水は前記通水溝部を通って洗浄ノズルに向けて正流する。
【００１９】
本発明に係る食器洗い機は、前記逆止弁は、前記水分配装置に向けて逆流する洗浄水を洗浄槽内に排水する排水穴を設けてあることを特徴とする。
【００２０】
本発明にあっては、前記逆止弁の一部に排水穴を設けており、洗浄水が正流する際は、前記弁体が排水穴を塞ぎ、洗浄水が洗浄槽内への漏れることなく洗浄ノズルに届く。洗浄水が逆流する際は、弁体が排水穴から離れ、排水穴が開き、前記水分配装置に向けて逆流する洗浄水が、洗浄槽内に排出される。
【発明の効果】
【００２１】
本発明によれば、ポンプと洗浄ノズルとの間に洗浄水の逆流を防止する逆止弁を設けることにより、ポンプの運転が一時停止した場合、洗浄水がポンプに向けて逆流することを防止することが可能となり、ポンプの運転を再開した場合、洗浄ノズルに洗浄水が届くまでの時間が不要となる。
【００２２】
また、本発明によれば、複数の洗浄ノズルに洗浄水を分配する水分配装置を備える食器洗い機において、該水分配装置と洗浄ノズルとの間に、洗浄水の逆流を防止する逆止弁を設けているので、ポンプの運転が一時停止した場合、逆流する洗浄水の圧力により、前記水分配装置の動作異常が生じることを未然に防止できる。
【００２３】
また、本発明によれば、逆止弁の内で、洗浄水の正流又は逆流に従って、前記弁体が弁座の開／閉を自ら行うので、食器洗い機の構造が簡単になり、製造コストを削減できる。
【００２４】
また、本発明によれば、前記弁体の移動距離を規制する規制板を設け、前記弁体の移動距離を短く制限しているので、前記弁座の開／閉が素早く行われ、洗浄水の逆流を最大限に防ぐことができる。
【００２５】
また、本発明によれば、逆止弁の一部に、前記水分配装置に向けて逆流する水を洗浄槽内に排水する排水穴を設けているので、ポンプの運転が一時停止した場合、逆流する洗浄水を洗浄槽内に迂回させることができ、逆流する洗浄水の圧力が水分配装置の動作異常を引き起こすことを未然に防止できる。
【発明を実施するための最良の形態】
【００２６】
（実施の形態１）
以下、本発明をその実施の形態を示す図面に基づいて詳述する。
【００２７】
図１は本発明の実施の形態１に係る食器洗い機の扉及び正面パネルを取り外した状態の正面図であり、図２は、下部の略示右側断面図である。
【００２８】
本発明の実施の形態１に係る食器洗い機は、筐体１の内部に洗浄槽２を備えており、該洗浄槽２の内部には、食器類４を載積する食器篭３を備えている。該食器篭３の下側には、食器類４に向けて洗浄水を噴射する水平回転可能な回転洗浄ノズル５、５を備えている。また、洗浄槽２の背面近傍であって前記食器篭３の上側には、適宜長さの管を水平配置してなり、周面に複数の噴射穴１７を有する固定洗浄ノズル６を備えている。回転洗浄ノズル５、５は、洗浄槽２の下側に、固定洗浄ノズル６は、洗浄槽２の上側に配置している。
【００２９】
前記筐体１の一側には、給水弁８を設けており、該給水弁８は、洗浄槽２の一側面に設けている給水口７と連結している。給水弁８及び給水口７を介して給水された洗浄水は、洗浄槽２の下部に設けている筒状の貯留部９に貯留される。
【００３０】
モータ１０を駆動源とするポンプ１１は、洗浄槽２の外であって筐体１底部に位置している。該ポンプ１１は、吐出口を２つ設けており、各吐出口は夫々吐出ホース１４と排水ホース１２とに連結されている。２つの吐出口には切換え弁を設けており、一方の吐出口だけが開く構造としている。吐出ホース１４の先端は、二つの送水管に分かれており、該送水管は、異なる長さを有している。一方は、回転洗浄ノズル５、５に連結されている短送水管１９、１９であり、他方は、該短送水管１９、１９より長い長送水管２０である。該長送水管２０の先端は洗浄槽２内に突出しており、該先端は、洗浄水の逆流を防止する逆止弁２１の下端に連結している。該逆止弁２１は、洗浄槽２背面の下部側であって長送水管２０より高い位置に配置している。前記逆止弁２１の上端は、該逆止弁２１より上にある固定洗浄ノズル６に向けて洗浄槽２の背面に沿って延びる上部送水管１５を介して前記固定洗浄ノズル６と連結している。
【００３１】
また、ポンプ１１は一つの吸込口を備え、該吸込口は吸込ホース３１を介して貯留部９と連結している。ポンプ１１の正回転の際には、吸込ホース３１を介して貯留部９から吸い込まれる洗浄水の水流及び水圧により、排水ホース１２への吐出口を閉鎖し、吐出ホース１４への吐出口を開放し、前記回転洗浄ノズル５、５及び固定洗浄ノズル６に圧送され、洗浄又はすすぎが行われる。
【００３２】
一方、洗浄又はすすぎ終了後は、前記ポンプ１１が逆回転し、逆回転する洗浄水の水流及び水圧により、吐出ホース１４への吐出口を閉鎖し、排水ホース１２への吐出口を開放し、洗浄水が、該排水ホース１２を経て、筐体１の一側面の外側に設けている排水口１３を介して筺体１の外部に排水される。
【００３３】
図３及び図４は、本発明の実施の形態１に係る食器洗い機の逆止弁の右側断面図である。
【００３４】
洗浄槽２は、筐体１の背面に向けて緩やかな上り勾配を有する底面を備え、該底面は筐体１の背面側にて、上方に屈曲して背面を形成している。洗浄槽２の背面下部付近には、長送水管２０の先端部を挿通するための挿通穴を設けている。洗浄槽２の底面の外側に沿って延びる長送水管２０の前記先端部は、前記挿通穴の下側で上方に屈曲し、該挿通穴を貫通して洗浄槽２内に突出している。長送水管２０の前記先端部には、逆止弁２１を取り付けるための円筒状の取付部２７を設けてあり、該取付部２７の外径は、逆止弁２１の内径より小さく、Ｏリング２６を挟んで逆止弁２１の下端に内嵌されている。
【００３５】
逆止弁２１は、筐体１の底面に対して上向きに延びる略管状のハウジング２５の中に、水流に沿って移動する球状の弁体２２を備えている。前記ハウジング２５の内径は、前記弁体２２の直径と略同径を有しており、ポンプ１１側の端部には、弁体２２より内径の細い弁座２８を設けている。前記弁座２８は、前述のように、逆止弁２１内に設けてもよく、前記取付部２７の適宜長さにして、逆止弁２１に内嵌される取付部２７の縁が弁座２８の役割をなすように構成してもよい。
【００３６】
また、逆止弁２１の固定洗浄ノズル６側の先端部には、弁体２２の移動を規制する半円状の規制板２３を、ハウジング２５の端末の縁にて長手方向軸の中心に向けて突設している。前記規制板２３は、特定形状に限るものではなく、弁体の移動を規制したまま洗浄水のみを通過させる形状であればよい。前記ハウジング２５の内周面には、洗浄水を通水する通水溝部２４を、ハウジング２５の長手方向に設けている。前記通水溝部２４は、弁体２２の移動が前記規制板２３により規制された場合、弁座２８側の端部と弁体２２との間に洗浄水が通る空間を確保できるように適宜位置に設けている。ハウジング２５の固定洗浄ノズル６側の端部は、上部送水管１５と連結する開口を有する。該開口及び通水溝部２４は、ハウジング２５の長手方向軸に対して前記規制板２３と対称位置に設けている。
【００３７】
前記ポンプ１１を運転して洗浄水が正流する場合、洗浄水の一部は、短送水管１９、１９、を介して回転洗浄ノズル５、５に流れて行き、噴射孔（図示せず）から噴射されて食器を洗浄する。回転洗浄ノズル５、５は前記噴射孔から噴射する洗浄水の反動で水平回転する。
【００３８】
また、洗浄水の一部は、長送水管２０を介して逆止弁２１内に流れ込む。図３に示すように、弁体２２は、正流水圧により弁座２８の穴から離れて規制板２３側に押し付けられ、移動する。弁体２２の移動は規制板２３により停止される。この際、弁体２２と通水溝部２４の間には洗浄水が通る水路が確保され、図中に白抜矢符にて示すように洗浄水は該水路を通り、前記開口を介して上部送水管１５に流れて行く。該上部送水管１５を通った洗浄水は固定洗浄ノズル６に届き、噴射穴１７から食器類４に向けて噴射される。
【００３９】
ポンプ１１の運転が停止した場合、該ポンプ１１から固定洗浄ノズル６までの洗浄水は、自重によりポンプ１１に向けて逆流する。この際、図４に示すように、弁体２２は上部送水管１５内の洗浄水の逆流水圧により、弁座２８の方向に押し付けられ、弁座２８の穴を塞ぐ。これにより、ポンプ１１に向けた上部送水管１５内の洗浄水の逆流を防ぐことが出来る。
【００４０】
従って、ポンプ１１を再運転する際、上部送水管１５には既に洗浄水が満ちているので、ポンプ１１の運転を開始した直後に固定洗浄ノズル６の噴射穴１７から洗浄水の噴射が行われる。
【００４１】
（実施の形態２）
図５は、本発明の実施の形態２に係る食器洗い機の扉及び正面パネルを取り外した状態の正面図であり、図６は、下部の略示右側断面図である。
【００４２】
本発明の実施の形態２に係る食器洗い機は、水平回転可能な回転洗浄ノズル５、５と、適宜長さの管を水平配置してなる固定洗浄ノズル６と、ノズル５、５、６に選択的に洗浄水を分配する水分配装置２９を設けている。回転洗浄ノズル５、５及び水分配装置２９は筐体１の下側に、固定洗浄ノズル６は筐体１の上側に配設しており、固定洗浄ノズル６は、回転洗浄ノズル５、５に比べ、水分配装置２９から遠く、送水距離が長い。
【００４３】
前記水分配装置２９は円筒状を有し、洗浄槽２の外に位置し、一端部は、水分配装置２９より下側の吐出ホース１４と連結している。また、他端部は、水分配装置２９より上側の各送水管１９、１９、２０の一端部と、３つの送水口１６ａ，１６ｂ，１６ｃを介して連結している。送水口１６ａ，１６ｃは、短送水管１９、１９を介して回転洗浄ノズル５、５と連結しており、送水口１６ｂは、長送水管２０を介して筐体２上側の固定洗浄ノズル６と連結している。水分配装置２９はハウジング内に複数の弁体（図示せず）を設けるそれ自体公知のものである。３つの送水管１９、１９、２０に対して２つの弁体を、ハウジング内に移動可能に設け、前記吐出ホース１４からハウジング内に流れ込む洗浄水の水圧により、３つの送水口１６ａ，１６ｂ，１６ｃのうちいずれか２つを前記弁体が遮断し、一つが開放される。また、ハウジングを駆動源により回転させて開放する送水口を変え、洗浄水の分配を行う。
【００４４】
図７及び図８は、本発明の実施の形態２に係る食器洗い機の逆止弁の右側断面図である。
【００４５】
逆止弁２１は、実施の形態１と同様に、ハウジング２５の中に、弁体２２と、弁座２８と、規制板２３と、通水溝部２４とを備えている。前記規制板２３には、弁体２２と接する部分に、該弁体２２より直径が小さい円形の排水穴３０を、前記規制板２３を貫通するように設けている。ハウジング２５の上端には、前記規制板２３の周縁と、ハウジング２５上端の縁とからなり、該ハウジング２５の穴の略半分の面積の開口を備えている。上部送水管１５は、該開口を介して逆止弁２１と連結している。つまり、前記規制板２３の両面は、洗浄槽２内側及び逆止弁２１の内側に夫々面し、該排水穴３０を介して、逆止弁２１内と、洗浄槽２内とは連通している。
【００４６】
前記ポンプ１１を運転して洗浄水が正流する場合、送水管１６ｂへ圧送をされる洗浄水は、逆止弁２１内に流れ込んで、弁体２２を押し付ける。図７に示すように、弁体２２は、正流水圧により弁座２８から離れて規制板２３側に移動するが、弁体２２の移動は規制板２３により停止される。この際、弁体２２は、規制板２３に設けている排水穴３０を塞ぎ、洗浄水が逆止弁２１外に漏れず、固定洗浄ノズル６に流れて行く。また、弁体２２と通水溝部２４の間には洗浄水が通る水路が確保され、図中に白抜矢符にて示すように洗浄水は該水路を通って上部送水管１５に流れて行く。該上部送水管１５を通った洗浄水は固定洗浄ノズル６に届き、噴射穴１７から食器類４に向けて噴射される。
【００４７】
ポンプ１１の運転が停止した場合、水分配装置２９から固定洗浄ノズル６までの洗浄水は自重により、水分配装置２９に向けて逆流する。この際、弁体２２は、上部送水管１５内の洗浄水の逆流水圧により弁座２８の方向に押し付けられ、排水穴３０から離れて弁座２８の穴を塞ぐ。従って、前記排水穴３０が開放され、逆流する洗浄水は排水穴３０を介して洗浄槽２内に排出される。これにより、水分配装置に向けた上部送水管１５内の洗浄水の逆流を迂回でき、逆流水圧による水分配装置２９の動作異常を未然に防止できる。
【００４８】
なお、実施の形態１に係る食器洗い機と同様の部分については、同一の符号を付して説明を省略する。
【００４９】
上述の実施の形態１及び２においては、ハウジング２５と、上部送水管１５とを別々に設けている場合について説明したが、これに限定されるものではなく、前記ハウジング２５及び上部送水管１５を一体成形してもよい。
【図面の簡単な説明】
【００５０】
【図１】本発明の実施の形態１に係る食器洗い機の扉及び正面パネルを取り外した状態の正面図である。
【図２】本発明の実施の形態１に係る食器洗い機の下部の略示右側断面図である。
【図３】本発明の実施の形態１に係る食器洗い機の逆止弁の右側断面図である。
【図４】本発明の実施の形態１に係る食器洗い機の逆止弁の右側断面図である。
【図５】本発明の実施の形態２に係る食器洗い機の扉及び正面パネルを取り外した状態の正面図である。
【図６】本発明の実施の形態２に係る食器洗い機の下部の略示右側断面図である。
【図７】本発明の実施の形態２に係る食器洗い機の逆止弁の右側断面図である。
【図８】本発明の実施の形態２に係る食器洗い機の逆止弁の右側断面図である。
【符号の説明】
【００５１】
１  筐体
２  洗浄槽
４  食器類
５  回転洗浄ノズル
６  固定洗浄ノズル
９  貯留部
１１  ポンプ
１５  上部送水管
１９  短送水管
２０  長送水管
２１  逆止弁
２２  弁体
２３  規制板
２４  通水溝部
２８  弁座
２９  水分配装置
３０  排水穴  
【図１】
2007282659.tif 000003
【図２】
2007282659.tif 000004
【図３】
2007282659.tif 000005
【図４】
2007282659.tif 000006
【図５】
2007282659.tif 000007
【図６】
2007282659.tif 000008
【図７】
2007282659.tif 000009
【図８】
2007282659.tif 000010